(57)【要約】【課題】ヘッダーの保持具が、構造物に固定される固定体に直接固定されるものにおいて、ヘッダーの枝管部の軸心先を、枝管部に接続された管体が枝管部から延びる方向に向けることのできるヘッダーの固定装置を提供する。【解決手段】ヘッダー４０を囲う囲み部１３及び開口部を有する保持部と２つの取付部とを備えた複数の保持具１０と、構造物に固定される固定部と保持具１０が表面に取り付けられ貫通孔を上下に有する本体部２２とからなる固定体２０と、を備えた。そして、２つの取付部は、囲み部１３の一端側から直線状に延びて先端側に本体部２２の裏面に係止する先端係止部１５が形成された直線状係止部１６と、囲み部１３の他端側から該囲み部１３から離れるように屈曲し先端側に先端係止部１５が形成された屈曲状係止部１７と、で構成した。【選択図】図９
2020002953.tif 000002
【特許請求の範囲】
【請求項１】
主管部と、該主管部から分岐する枝管部と、前記主管部より外方に突出した工具等の把持部と、を備えたヘッダーを、構造物に固定するヘッダーの固定装置であって、
前記ヘッダーの主管部の外周方向に沿って延びる囲み部、及び前記主管部を内部に受け入れ可能な開口部を有する、前記ヘッダーを保持する保持部と、該保持部の両側に設けられた２つの取付部と、を備えた帯状の複数の保持具と、
前記構造物に固定される固定部と、前記保持具が表面に取り付けられる被取付部を複数有する板状の本体部と、を備えた固定体と、
を備え、
前記保持具が前記ヘッダーを保持して前記固定体の本体部に取り付けられた状態で、前記ヘッダーの主管部は、外周全体が前記保持具の囲み部と前記固定体の本体部とによって取り囲まれ、更に、
前記保持具は、前記開口部が前記ヘッダーの主管部の径より狭められて、前記ヘッダーを前記固定体の本体部から離間した位置で保持し、前記ヘッダーは、前記保持具で保持された状態で、前記把持部は前記固定体の本体部と干渉せず、前記枝管部の軸心先は前記本体部の表面から離れる方向に向けられることを特徴とするヘッダーの固定装置。
【請求項２】
前記固定体の被取付部は、前記本体部を表裏に貫通する貫通孔からなり、
前記保持具の２つの取付部の一方または両方は、先端側に前記貫通孔に挿通されるとともに前記本体部の裏面に係止する先端係止部を有することを特徴とする請求項１に記載のヘッダーの固定装置。
【請求項３】
前記保持具の囲み部は、前記ヘッダーの主管部の外面に沿う弧状を成し、
前記保持具の２つの取付部は、先端側に前記固定体の貫通孔に挿通されるとともに前記固定体の本体部の裏面に係止する先端係止部を有し、前記囲み部の一端側から直線状に延びて先端側に前記先端係止部が形成された直線状係止部と、前記囲み部の他端側から該囲み部から離れるように屈曲し先端側に前記先端係止部が形成された屈曲状係止部と、からなり、
前記屈曲状係止部における、前記囲み部の他端側と前記先端係止部との間に、前記本体部の表面に当接する表面当接部が形成されていることを特徴とする請求項２に記載のヘッダーの固定装置。
【請求項４】
前記保持具は、前記直線状係止部が前記屈曲状係止部から離間する方向に撓み変形して前記開口部から前記ヘッダーを受け入れ可能であり、前記両先端係止部が前記固定体の本体部の裏面側に位置した状態で、内部に前記ヘッダーを圧接保持することを特徴とする請求項３に記載のヘッダーの固定装置。
【請求項５】
前記直線状係止部側が前記屈曲状係止部側に近接する状態に維持する近接維持手段を有することを特徴とする請求項３または請求項４に記載のヘッダーの固定装置。
【発明の詳細な説明】
【技術分野】
【０００１】
本発明は、給水給湯装置等において給水管、給湯管等の管体を分岐するヘッダーを建物の壁面や床面等の構造物に設置固定するヘッダーの固定装置に関する。
【背景技術】
【０００２】
前記ヘッダーは、一般には２つの保持具に跨って水平に保持されることにより、壁面、床面等の構造物に設置されている。ここで、保持具として、例えば、特許文献１に記載の管状体の保持装置における止具が用いられている。特許文献１の保持装置においては、保持具である止具は、壁面との間に架台を設置し、この架台を介して構造物の壁面から所定距離離間させた位置で壁面に固定される。
【０００３】
ところで、保持具は、それぞれに架台を設置して構造物に固定する他、２つとも取付面積の大きい１枚の平面板状の固定体に取り付けて構造物に固定することがある。この場合、各保持具は、図１２に示すように、抜止部７２を固定体８０の係止孔８１に挿入係止させ、反対側の固定部７３の挿通孔７４にビス７５を挿通し、固定体８０のねじ孔８２にねじ止めすることにより、固定体８０に取り付けられる。
【０００４】
ここで、保持具７０の抜止部７２は、半円弧状の本体部７１の一方の端部からそのまま直線状に延びた先端部に形成され、保持具７０の固定部７３は、本体部７１の他方の端部からそのまま直線状に延びた後途中で水平方向に屈曲した部分の先端部に形成されているので、ヘッダー４０は、半円弧状の本体部７１と固定体８０とで上下方向に押さえ付けられて、固定体８０の表面に当接した状態で取り付けられる。これによりヘッダー４０を設置する場合は、保持具７０毎に架台を取り付ける必要はないので、部品数を削減でき、取付け作業も効率良く行なうことができる。なお、ヘッダー４０は、図８に示すように、水平方向に設置され、一般には、主管部４１から分岐して管体が接続される枝管部４２の軸心先が鉛直下方を向くようにして固定体８０に設置される。
【先行技術文献】
【特許文献】
【０００５】
【特許文献１】特開平０９−１１２７５１号公報
【発明の概要】
【発明が解決しようとする課題】
【０００６】
しかし、ヘッダー４０の主管部４１から分岐する枝管部４２の接続口４２ａに接続されている給水管、給湯管等の管体５０は、ヘッダー４０から離れた箇所から引張られた状態でヘッダー４０の接続口４２ａに接続されていることが多く、その場合、管体５０は、接続口４２ａの周辺において、図１０及び図１１に示すように、固定体８０の表面から離間する方向に振られて接続口４２ａを起点に傾斜した状態となる。
【０００７】
一方、ヘッダー４０は、図７等に示すように、主管部４１より外方に突出し取付け取外しの際にスパナ等の工具が把持される六角ナット状の把持部４３が端部に設けられている。ここで、ヘッダー４０が固定される固定体８０は、前述のように、取付面積の大きい１枚の平面板状に形成されている。したがって、ヘッダー４０は、固定体８０に設置されたとき、主管部４１より外方に突出する把持部４３と、主管部４１における把持部４３とは反対側の端部と、が固定体８０の表面に当接した状態で固定体８０に取り付けられる。その結果、把持部４３は、管軸回りの回動が固定体８０によって規制されるので、管軸回りの向きを自在に変えることはできず、一定の回動角度に維持される。これに伴い、ヘッダー４０の主管部４１も管軸回りの回動が阻止され、主管部４１から分岐する枝管部４２も軸心先は垂直下方を向く一定姿勢に保持される。
【０００８】
このように、ヘッダー４０は、把持部４３は固定体８０の表面と当接して一定の回動角度に維持され、ヘッダー４０の枝管部４２も軸心先は垂直下方を向いた一定姿勢に保持されるから、前述のように、ヘッダー４０に接続された管体５０が引張られて固定体８０から離れる方向に振られていると、ヘッダー４０の枝管部４２の軸心先の方向と管体５０の軸心方向とは異なるものとなる。すると、管体５０と枝管部４２との接続部分に曲げ等の無理な力が加わり、管体５０や管体５０と接続口４２ａとの接続具等に亀裂、損傷、変形等が生じる虞がある。
【０００９】
そこで、本発明は、ヘッダーの保持具が、構造物に固定される固定体に直接固定されるものにおいて、ヘッダーの枝管部の軸心先を、枝管部に接続された管体が枝管部から延びる方向に向けることのできるヘッダーの固定装置の提供を課題とするものである。
【課題を解決するための手段】
【００１０】
請求項１のヘッダーの固定装置は、主管部と、該主管部から分岐する枝管部と、前記主管部より外方に突出した工具等の把持部と、を備えたヘッダーを、構造物に固定するものであって、
前記ヘッダーの主管部の外周方向に沿って延びる囲み部、及び前記主管部を内部に受け入れ可能な開口部を有する、前記ヘッダーを保持する保持部と、該保持部の両側に設けられた２つの取付部と、を備えた帯状の複数の保持具と、
前記構造物に固定される固定部と、前記保持具が表面に取り付けられる被取付部を複数有する板状の本体部と、を備えた固定体と、
を備え、
前記保持具が前記ヘッダーを保持して前記固定体の本体部に取り付けられた状態で、前記ヘッダーの主管部は、外周全体が前記保持具の囲み部と前記固定体の本体部とによって取り囲まれ、更に、
前記保持具は、前記開口部が前記ヘッダーの主管部の径より狭められて、前記ヘッダーを前記固定体の本体部から離間した位置で保持し、前記ヘッダーは、前記保持具で保持された状態で、前記把持部は前記固定体の本体部と干渉せず、前記枝管部の軸心先は前記本体部の表面から離れる方向に向けられるものである。
【００１１】
請求項２のヘッダーの固定装置は、前記固定体の被取付部が、前記本体部を表裏に貫通する貫通孔からなり、前記保持具の２つの取付部の一方または両方は、先端側に前記貫通孔に挿通されるとともに前記本体部の裏面に係止する先端係止部を有するものである。
請求項３のヘッダーの固定装置は、前記保持具の囲み部が、前記ヘッダーの主管部の外面に沿う弧状を成し、前記保持具の２つの取付部は、先端側に前記固定体の貫通孔に挿通されるとともに前記固定体の本体部の裏面に係止する先端係止部を有し、前記囲み部の一端側から直線状に延びて先端側に前記先端係止部が形成された直線状係止部と、前記囲み部の他端側から該囲み部から離れるように屈曲し先端側に前記先端係止部が形成された屈曲状係止部と、からなり、前記屈曲状係止部における、前記囲み部の他端側と前記先端係止部との間に、前記本体部の表面に当接する表面当接部が形成されたものである。
【００１２】
請求項４のヘッダーの固定装置は、前記保持具が、前記直線状係止部が前記屈曲状係止部から離間する方向に撓み変形して前記開口部から前記ヘッダーを受け入れ可能であり、前記両先端係止部が前記固定体の本体部の裏面側に位置した状態で、内部に前記ヘッダーを圧接保持するものである。
請求項５のヘッダーの固定装置は、前記直線状係止部側が前記屈曲状係止部側に近接する状態に維持する近接維持手段を有するものである。
【発明の効果】
【００１３】
本発明は、ヘッダーを保持する保持具を構造物に固定される固定体に直接固定してヘッダーを固定したときに、ヘッダーの主管部より外方に突出した工具等の把持部は固定体の表面とは干渉せず、引張りによってヘッダーの枝管部に接続された管体が固定体の表面から離れる方向に向けられても、ヘッダーの枝管部の軸心先を管体が枝管部から延びる方向に自在に向けることができる。その結果、ヘッダーの枝管部と管体との接続部分に曲げなどの無理な力が加わることによって管体や管体と枝管部との接続具等に亀裂、損傷、変形等が生じるのを防止することができる。
【図面の簡単な説明】
【００１４】
【図１】本発明の実施形態のヘッダーの固定装置を示す斜視図である。
【図２】(a)は図１のヘッダーの固定装置を裏側から見た斜視図、(b)は側面図である。
【図３】図１の保持具を示し、(a)は斜め上方から見た斜視図、(b)は斜め下方から見た斜視図、(c)は正面図である。
【図４】図１の近接維持具を示し、(a)は斜視図、(b)は正面図である。
【図５】図１のヘッダーの固定装置にヘッダーを固定する方法を説明する斜視図である。
【図６】同じく、ヘッダーの固定装置にヘッダーを固定する方法を説明する斜視図である。
【図７】同じく、ヘッダーの固定装置にヘッダーを固定する方法を説明する正面図である。
【図８】同じく、ヘッダーの固定装置にヘッダーを固定する方法を説明する正面図である。
【図９】同じく、ヘッダーの固定装置にヘッダーを固定する方法を説明する図であり、(a)は側面図、(b)は図８のＡ−Ａ切断線による断面図である。
【図１０】図８のヘッダーに管体を接続した状態を示す斜視図である。
【図１１】図８のヘッダーに管体を接続した状態を示す側面図である。
【図１２】従来のヘッダーの固定装置の断面図である。
【発明を実施するための形態】
【００１５】
以下、本発明の実施形態のヘッダーの固定装置を図に基づいて説明する。
本実施形態のヘッダーの固定装置は、給水給湯装置等で給水管、給湯管等の管体を分岐するヘッダーを建物の壁面や床面等の構造物に設置固定するものである。なお、本実施形態では、ヘッダーは床面上に設置されるものを例示する。
【００１６】
前記ヘッダーは、図６に示すように、円管状の主管部４１と、主管部４１から垂直下方に分岐する複数、図６においては４つの枝管部４２と、主管部４１より径方向の外方に突出し、取付け、取外しの際にスパナ等の工具が把持される六角ナット状の把持部４３と、を備えている。枝管部４２の接続口４２ａには給水管、給湯管等の管体５０が下方に向けて接続される。
【００１７】
図１乃至図３において、ヘッダーの固定装置１は、ヘッダー４０を保持する保持部１１と保持部１１の両側に設けられた２つの取付部１２とを備えた帯状の保持具１０と、構造物に固定するための固定部２１とパネル状の本体部２２とを備えた固定体２０と、で構成されている。更には、保持具１０の保持部１１は、ヘッダー４０の主管部４１の外周方向に沿って延びる囲み部１３と、主管部４１を内部に受け入れ可能な開口部１４とを有している。また、固定体２０の本体部２２は、保持具１０が表面に取り付けられる被取付部２３を複数有している。
【００１８】
より詳細には、保持具１０は、金属材、合成樹脂材等により形成され、図３に示すように、囲み部１３がヘッダー４０の主管部４１の外面に沿う弧状に形成され、開口部１４はヘッダー４０の主管部４１の径より狭められており、ヘッダー４０を固定体２０の本体部２２の表面から離間した位置で保持する。そして、保持具１０は、保持部１１にヘッダー４０を保持して固定体２０の本体部２２に取り付けられた状態では、保持部１１の囲み部１３と固定体２０の本体部２２とでヘッダー４０の主管部４１の外周全体を取り囲むように形成されている。
【００１９】
また、保持具１０は、２つの取付部１２がいずれも、先端側に、固定体２０の被取付部２３に挿通されるとともに本体部２２の裏面に係止する先端係止部１５を有している。２つの取付部１２は、更に具体的には、囲み部１３の一端側から直線状に延びて先端側に先端係止部１５が形成された直線状係止部１６と、囲み部１３の他端側から囲み部１３から離れるように屈曲され先端側に先端係止部１５が形成された屈曲状係止部１７と、からなる。直線状係止部１６及び屈曲状係止部１７は、それぞれ囲み部１３の一端及び他端から先端に至るまでの部分全体を意味する。
【００２０】
直線状係止部１６及び屈曲状係止部１７の各先端側に形成された先端係止部１５は、先端側から延出する軸部１５ａと、軸部１５ａの更に先端側に軸部１５ａと直交して保持具１０の幅方向の両側に突出して設けられ、それぞれ固定体２０の本体部２２の裏面における上側の貫通孔２４及び下側の貫通孔２５の周縁に掛止する掛止部１５ｂと、で構成されている。
【００２１】
保持具１０の屈曲状係止部１７は、囲み部１３の他端側と先端係止部１５との間に、本体部２２の表面に当接する表面当接部１８が形成されている。また、保持具１０は、直線状係止部１６が屈曲状係止部１７から離間する方向に撓み変形可能であり、その撓み変形により開口部１４は拡開して内部にヘッダー４０を受け入れ可能となっている。そして、保持具１０は、直線状係止部１６の先端係止部１５及び屈曲状係止部１７の先端係止部１５が本体部２２の裏面側に位置した状態では、内部にヘッダー４０を圧接保持する。
【００２２】
一方、固定体２０は、図１及び図２に示すように、１枚の金属板や合成樹脂板で形成され、床面上に立設された図示しないスタンドに固定するための固定部２１と矩形パネル状の本体部２２とからなる。固定部２１は、固定体２０の左右両端部に上下方向に間隔をおい複数設けられたビス取付孔で形成されており、固定体２０は、床面にアンカーボルト等を使用して立ち上げられた左右一対のスタンドにビス止めすることにより床面上に固定される。本体部２２の複数の被取付部２３は、本体部２２を表裏に貫通する貫通孔からなる。貫通孔は１つの保持具１０に対して上下に一対設けられており、上側の貫通孔２４は略凸形状に形成され、下側の貫通孔２５は矩形状に形成されている。上側の貫通孔２４は、保持具１０の直線状係止部１６の先端係止部１５が本体部２２の表面側から通過可能な矩形状の幅広貫通部２４ａと、その下方に幅広貫通部２４ａと連通して幅広貫通部２４ａより幅の狭い矩形状の幅狭貫通部２４ｂとで形成されている。下側の貫通孔２５は、上側の貫通孔２４に向けて延び、保持具１０を横に倒し保持具１０の屈曲状係止部１７の先端係止部１５を垂直に立てた状態で本体部２２の表面側から先端係止部１５を通過可能な大きさに形成されている。
【００２３】
保持具１０の直線状係止部１６が固定体２０の上側の貫通孔２４の幅広貫通部２４ａに挿入され、幅狭貫通部２４ｂに押し下げられた後、空きスペースとなった幅広貫通部２４ａには、別体である近接維持具３０が挿入され取り付けられるようになっている。近接維持具３０は、上側の貫通孔２４に挿入、取り付けられて、保持具１０の直線状係止部１６の先端係止部１５が幅狭貫通部２４ｂに移動した後幅広貫通部２４ａに再度移動して戻るのを防止するものである。近接防止具３０は、合成樹脂で形成され、図４に示すように、幅広貫通部２４ａに正面側から挿入される貫通孔挿入部３１と、保持具１０の直線状係止部１６と当接する当接部３２とを有している。貫通孔挿入部３１の左右両端部は、幅広貫通部２４ａに挿入される前面側に向けて傾斜するテーパ面に形成され、幅広貫通部２４ａに対して正面側から貫通孔挿入部３１を挿入し易くなっている。
【００２４】
近接維持具３０は、更に、貫通孔挿入部３１の左右一対のテーパ面の奥側に、コ字状に切欠されて幅広貫通部２４ａの周縁に嵌合する一対の嵌合部３３，３３が対向して形成されている。また、両嵌合部３３，３３間に、貫通孔挿入部３１を幅広貫通部２４ａ内に強制的に押し込むとき、空間が縮小して両嵌合部３３の間隔を縮小可能な凹部空間で形成された近接空間３４が設けられている。更に、近接維持具３０が一旦幅広貫通部２４ａに挿入、固定された後に、両嵌合部３３，３３が近接するのを防止して両嵌合部３３，３３の間隔を一定に保持し、嵌合部３３の嵌合が外れて近接維持具３０が幅広貫通部２４ａから抜脱するのを防止するために、近接空間３４に挿入される近接防止部３５を備えている。近接防止部３５は、近接維持具３０の一方の端部のヒンジを軸に回動する近接防止片３６における近接空間３４側の面に近接空間３４に向けて突設された突片で形成されている。
【００２５】
この近接維持具３０は、保持具１０の直線状係止部１６を屈曲状係止部１７側に近接させる状態に維持する近接維持手段となる。この近接維持手段により、固定体２０に固定された保持具１０の直線状係止部１６と上側の貫通孔２４との係止が解除されるのが防止される。
【００２６】
次に、このように構成されたヘッダーの固定装置１を使用してヘッダー４０を構造物である床面に立設された固定体２０に設置する方法を説明する。
最初に、床面上に図示しないスタンドを立設し、固定部２１であるビス取付孔にビスを取り付けてスタンドにビス止めすることにより固定体２０を立設状態に設置する。この状態においては、固定体２０の上側の貫通孔２４と下側の貫通孔２５とは垂直方向に並ぶ。
【００２７】
続いて、図５に示すように、保持具１０の屈曲状係止部１７を固定体２０の下側の貫通孔２５に挿入する。このときは、保持具１０を横に倒した水平姿勢とすることにより、屈曲状係止部１７の先端係止部１５の掛止部１５ｂを垂直にして下側の貫通孔２５に正面側から挿入し、その後、保持具１０をいずれかの方向に９０度回動させて先端係止部１５を固定体２０の裏面において下側の貫通孔２５の周縁に係止させる。係止後、手を離せば、保持具１０は、屈曲状係止部１７の先端係止部１５を支点に囲み部１３の内面を上向きにして吊り下げられた状態となる。このようにして、２つの保持具１０を水平方向に間隔をおいて並置した状態で吊り下げる。
【００２８】
次に、２つの保持具１０を固定体２０の本体部２２に水平に並置したら、図６に示すように、ヘッダー４０を両保持具１０の囲み部１３の湾曲している内面上に水平に載置する。このとき、ヘッダー４０は、強制的に押し下げることにより、保持具１０の直線状係止部１６を弾性的に外方に撓み変形させて開口部１４を拡張させながら囲み部１３内に挿入する。挿入後、直線状係止部１６は、屈曲状係止部１７とともに、ヘッダー４０を囲み部１３内に弾性的に押圧保持する。これにより、両保持具１０を手で保持することなく、単にヘッダー４０のみを把持してこれを保持具１０の内部に載置し仮保持させることができる。
【００２９】
続いて、ヘッダー４０を持ち上げつつ、屈曲状係止部１７の先端係止部１５を支点に保持具１０を上方に回動して直線状係止部１６の先端係止部１５を本体部２２の上側の貫通孔２４の幅広貫通部２４ａに挿入し通過させる。そして、先端係止部１５を幅広貫通孔１４に挿入したら、直線状係止部１６の先端係止部１５の軸部１５ａを幅狭貫通部２４ｂに移動させつつ保持具１０全体をそのまま垂直下方に移動させる。これにより、掛止部１５ｂが掛止して先端係止部１５は本体部２２の裏面側における幅狭貫通部２４ｂの周縁に係止し、ヘッダー４０は仮固定される。ヘッダー４０が仮固定された状態を図７に示す。
【００３０】
その後、空きスペースとなった幅広貫通部２４ａ内に近接維持具３０を正面側から挿入する。このとき、近接維持具３０の貫通孔挿入部３１は左右にテーパ面が形成されているので、近接維持具３０を円滑に挿入することができる。これにより、近接維持具３０が幅広貫通部２４ａ内に入り込むと、左右一対の嵌合部３３，３３が幅広貫通部２４ａの周縁に弾性的に嵌合する。その後、近接維持具３０の一端部のヒンジを軸に近接防止片３６を回動して突片からなる近接防止部３５を近接空間３４内に押し込む。これにより、近接空間３４が狭まることによって左右一対の嵌合部３３，３３の嵌合が不用意に解除されてしまうのが防止され、近接維持具３０は安定して幅広貫通部２４ａ内に固定される。したがって、直線状係止部１６の先端係止部１５が幅狭貫通部２４ｂから幅広貫通部２４ａに戻って先端係止部１５の係止が解除されてしまうのが防止され、一旦組み付けられた後に保持具１０が不用意に固定体２０から外れてしまうのが防止される。
【００３１】
これにより、固定体２０への保持具１０の組み付けは完了し、ヘッダー４０は、図８及び図９に示すように、保持具１０の囲み部１３と固定体２０の本体部２２とで主管部４１の外周全体が取り囲まれるようにして固定体２０に本固定される。この状態においては、保持具１０の屈曲状係止部１７の表面当接部１８は、図９に示すように、本体部２２の表面に当接する。また、ヘッダー４０の把持部４３の六角形の辺と固定体２０の本体部２２の表面とは隙間Ｌだけ離間する。
【００３２】
ここで、ヘッダー４０の把持部４３と固定体２０の本体部２２の表面との間に隙間Ｌが生じるのは、保持具１０は、屈曲状係止部１７の屈曲部分が開口部１４側に張り出しているのと、表面当接部１８が本体部２２の表面に当接することにより、ヘッダー４０は本体部２２から浮いた状態に保持されるためである。なお、隙間Ｌは、少なくとも、把持部４３が回動し、その角部が本体部２２の表面に最接近したときでも本体部２２の表面に当接しない大きさとなっている。
【００３３】
このようにして、ヘッダー４０をヘッダーの固定装置１に固定した後は、図１０及び図１１に示すように、接続具５１を介してヘッダー４０の枝管部４２に給水管、給湯管等の管体５０を接続することができる。
【００３４】
次に、本実施形態のヘッダーの固定装置１の作用を説明する。
管体５０は、ヘッダー４０の枝管部４２の接続口４２ａに接続された後は、離れた箇所から引張られることが多く、そのために、ヘッダー４０の周辺においては、接続口４２ａから垂下するに従って本体部２２の表面から離れる方向に振られて傾斜する傾向にある。その結果、ヘッダー４０の枝管部４２は、引張られた管体５０によってヘッダー４０の管軸を中心に管体５０が本体部２２から離れる方向の力を受け、ヘッダー４０は、主管部４１の管軸を中心に回動する方向の力を受ける。ここで、ヘッダー４０は、保持具１０で固定体２０に本固定されてはいるものの、管軸を中心にある程度回動して向きを変えることは可能である。一方で、把持部４３は、固定体２０の本体部２２の表面から隙間Ｌだけ離間し本体部２２とは干渉しない。このため、ヘッダー４０は、本体部２２との干渉によって妨げられることなく、管体５０の傾斜方向に追随して所定角度回動するとともに、枝管部４２も軸心先が本体部２２の表面から離れる方向すなわち管体５０が枝管部４２から延びる方向に向けられる。
【００３５】
その結果、従来は、把持部４３は、本体部２２と当接することにより回動角度を変えることができないために、引張られた管体５０が延びる方向とヘッダー４０の枝管部４２の軸心先の方向とが異なることによって、枝管部４２の接続箇所に無理な力が加わり、管体５０や接続具５１等に亀裂が入ったり、変形、損傷する虞があったが、本実施形態のヘッダーの固定装置１は、そのような不具合は生じない。
【００３６】
更に、保持具１０は、２つの取付部１２のうちの一方が屈曲状係止部１７で形成され、その屈曲状係止部１７は開口部１４側への張り出し部分及び先端係止部１５までの間が屈曲しているために剛性が大きく撓み変形しにくい。また、表面当接部１８が固定体２０の本体部２２の表面に当接するので、本体部２２に対する屈曲状係止部１７の収まりがよい。このため、ヘッダー４０を安定して固定体２０に固定することができる。一方で、保持具１０は、２つの取付部１２のうちの他方が直線状係止部１６で形成され、その直線状係止部１６は、撓み変形して狭い開口部１４を拡張し、保持部１１内へのヘッダー４０の挿入を可能にしている。
【００３７】
ところで、上記実施形態の２つの取付部１２はいずれも、固定体２０の被取付部２３を貫通するとともに固定体２０の本体部２２の裏面に係止する先端係止部１５を有するものであるが、取付部１２は、これに限られるものではなく、例えば、いずれか一方は、ビスやボルトが挿通される通孔で形成し、ビス等を通孔に挿入して固定体２０にねじ止めするものとしてもよい。
【００３８】
また、上記実施形態の保持具１０は、屈曲状係止部１７に表面当接部１８を設けているが、これを設けないものとしてもよい。この場合、屈曲状係止部１７の先端部は、例えば、直線状係止部１６の先端係止部１５と同様の形状のものであって、直線状係止部１６の先端係止部１５と同様に本体部２２に直交させて下側の貫通孔２５に係止させるものが考えられる。
【００３９】
更に、上記実施形態の近接維持具３０は、別体として固定体２０の幅広貫通部２４ａに挿入されてその周縁に一対の嵌合部３３，３３が嵌合して取り付けられるものであるが、この形態、形状に限られるものではない。例えば、図示しないが、幅広貫通部２４ａの開口より少し面積の大きい平板状の覆い板を本体部２２の表面と平行にあてがって幅広貫通部２４ａの開口を覆うことによって、直線状係止部１６の先端係止部１５が幅狭貫通部２４ｂから幅広貫通部２４ａに移動するのを防止するものとしてもよい。この場合、覆い板は、磁性板で形成して本体部２２の表面に貼着されるものとしたり、係止構造により取り付けたりすることができ、また、ヒンジ構造により本体部２２と一体に設けられて幅広貫通部２４ａの開口を塞ぐものとすることもできる。
【００４０】
加えて、上記実施形態の保持具１０は、直線状係止部１６を固定体２０の上側の貫通孔２４に係止させ、屈曲状係止部１７を下側の貫通孔２５に係止させているが、直線状係止部１６及び屈曲状係止部１７を上下逆にして固定体２０の被取付部２３に取り付けることもできる。この場合、屈曲状係止部１７の先端係止部１５は、直線状係止部１６の先端係止部１５と平行するように形成するとよい。
【００４１】
なお、上記実施形態では、ヘッダー４０は、床面上に立設された固定体２０に固定されるものを例示しているが、本発明は、ヘッダー４０を壁面に設置された固定体２０に固定する場合にも同様に適用できることはいうまでもない。
【符号の説明】
【００４２】
１  ヘッダーの固定装置              ２１  固定部   
１０  保持具                          ２２  本体部
１１  保持部                          ２３  被取付部
１２  取付部                          ２４  上側の貫通孔（被取付部）
１３  囲み部                          ２５  下側の貫通孔（被取付部）
１４  開口部                          ３０  近接維持具（近接維持手段）
１５  係止部                          ４０  ヘッダー
１６  直線状係止部（取付部）          ４１  主管部
１７  屈曲状係止部（取付部）          ４２  枝管部
１８  表面当接部                      ４３  把持部
２０  固定体
【図１】
2020002953.tif 000003
【図２】
2020002953.tif 000004
【図３】
2020002953.tif 000005
【図４】
2020002953.tif 000006
【図５】
2020002953.tif 000007
【図６】
2020002953.tif 000008
【図７】
2020002953.tif 000009
【図８】
2020002953.tif 000010
【図９】
2020002953.tif 000011
【図１０】
2020002953.tif 000012
【図１１】
2020002953.tif 000013
【図１２】
2020002953.tif 000014